(57)【特許請求の範囲】
【請求項１】
所定の回線交換ネットワークおよび所定のコンピュータネットワークのそれぞれを介してのファクシミリ通信を行うことが可能なファクシミリ装置において、
前記コンピュータネットワークを介して任意の転送要求元端末から送信されたファクシミリデータを前記転送要求元端末から指定された電話番号を持つ転送先端末へと前記回線交換ネットワークを介して転送する転送処理手段と、
ユーザにより選択指定された電話番号へと自動発呼を行うためにユーザにより発呼先として予め登録された電話番号を記憶する記憶手段と、
前記回線交換ネットワークを介してのファクシミリデータの転送が前記コンピュータネットワークを介して要求された際に、前記転送要求元端末から指定された電話番号が前記記憶手段に記憶されているか否かを確認し、前記転送要求元端末から指定された電話番号が前記記憶手段に記憶されている場合にのみ前記転送処理手段にファクシミリデータの転送を実行させる転送制御手段とを具備したことを特徴とするファクシミリ装置。
【請求項２】
転送要求元端末に向けて転送要求を拒否する旨の通知を行う通知手段を備え、
かつ前記転送制御手段は、前記転送要求元端末から指定された電話番号が前記記憶手段に記憶されていない場合に前記通知手段に通知を行わせるものとしたことを特徴とする請求項１に記載のファクシミリ装置。
【請求項３】
拒否すべき転送要求が到来したことを本ファクシミリ装置のユーザに対して報知する報知手段を備え、
かつ前記転送制御手段は、前記転送要求元端末から指定された電話番号が前記記憶手段に記憶されていない場合に前記報知手段に報知を行わせるものとしたことを特徴とする請求項１に記載のファクシミリ装置。
【発明の詳細な説明】
【０００１】
【発明の属する技術分野】
本発明は、ＰＳＴＮ（Public Switched Telephone Network）などの回線交換ネットワークとインターネットなどのコンピュータネットワークとを任意に使用して画像通信を行うファクシミリ装置に関する。
【０００２】
【従来の技術】
遠隔地と画像を通信する方法としては、ＰＳＴＮやＩＳＤＮを利用したファクシミリ装置が一般的である。この種のファクシミリ装置は、操作が容易なことと、相手が不在であっても用件を伝えることができるために、ビジネス分野ばかりではなく家庭にも広く普及している。
【０００３】
ＰＳＴＮやＩＳＤＮを利用したファクシミリの通信規格はＩＴＵ（International Telecommunication Union）によってＧ３ファクシミリやＧ４ファクシミリとして標準勧告されている。
【０００４】
このような従来のファクシミリの利点は、直接受信側のファクシミリとの間に通信回線を確保することにより、通信回線の帯域幅の許容する最速の通信速度でデータが転送できること。直接相手と通信することで、データが確実に伝わったことを確認できること。あるいは送信するデータ形式が受信側の許容できる形式であるかの確認を行う能力ネゴシエーションを行うために、確実にデータを伝えることができることなどである。
【０００５】
一方、インターネットが一般化するにつれ、従来の回線交換ネットワークの代わりにインターネットを利用するサービスが盛んになってきた。
【０００６】
特に伝送距離やデータ量が大きい場合には、インターネットを介して送信する方が通信コストを低く抑える事ができるので、インターネットを介しての画像の送受信を行う機能を、通常のファクシミリ装置が有する機能に加えて備えたファクシミリ装置が登場している。
【０００７】
そしてこのようなファクシミリ装置は、回線交換ネットワークとインターネットとの双方を使用してのファクシミリ通信が可能であることを利用して、いずれかのネットワークを介して到来したファクシミリデータを一旦受信し、そのファクシミリデータを他方のネットワークを介して他の端末へと転送する、いわゆるゲートウェイ機能を実現する。
【０００８】
このようなゲートウェイ機能を利用すれば、インターネットを介して通信を行う機能を備えていないファクシミリ装置どうしでファクシミリ通信を行う場合にも、それぞれのファクシミリ装置に比較的近い位置に設置されたゲートウェイ機能を有したファクシミリ装置を介在させることで、インターネットを経由してのファクシミリ通信を行うことができる。そしてこの場合には、条件によっては回線交換ネットワークによる伝送距離を短くすることができ、通信コストを低減することが可能となる。
【０００９】
さて、ゲートウェイ処理のうちで、回線交換ネットワークへの送信を行うもの、すなわちいわゆるオフランプゲートウェイ処理においては、回線交換ネットワークでの通信料金をゲートウェイ処理を行うファクシミリ装置の所有者が負担することになる。
【００１０】
このため従来は、転送要求元を認証し、特定の転送要求元からの転送要求のみを受け付けるようにすることで、第３者による乱用を防止し、無駄な通信費用負担が生じることを防ぐようにしている。
【００１１】
そして転送要求元の認証は、転送要求元のアドレスを予め登録されたアドレスと照合したり、暗証番号を用いるなどの手法が用いられている。
【００１２】
【発明が解決しようとする課題】
しかしながらこれらの認証方法では、成りすましが比較的容易に行え、第３者による乱用を的確に防止することができないという不具合があった。
【００１３】
また暗証番号を使用する場合には、転送要求元も暗証番号による認証方法をサポートした端末を用いなければならず、汎用的ではなくなってしまうという不具合があった。
【００１４】
本発明はこのような事情を考慮してなされたものであり、その目的とするところは、簡易でありながら、第３者によるゲートウェイ機能の乱用を的確に防止して無駄な通信費用負担が生じることを防ぐことができるファクシミリ装置を提供することにある。
【００１５】
【課題を解決するための手段】
以上の目的を達成するために第１の発明は、例えばＰＳＴＮなどの所定の回線交換ネットワークおよび例えばインターネットなどの所定のコンピュータネットワークのそれぞれを介してのファクシミリ通信を行うことが可能なファクシミリ装置において、前記コンピュータネットワークを介して任意の転送要求元端末から送信されたファクシミリデータを前記転送要求元端末から指定された電話番号を持つ転送先端末へと前記回線交換ネットワークを介して転送する、例えばＣＰＵのソフトウェア処理により実現される転送処理手段と、ユーザにより選択指定された電話番号へと自動発呼を行うためにユーザにより発呼先として予め登録された電話番号を記憶する例えば情報記憶部などの記憶手段と、前記回線交換ネットワークを介してのファクシミリデータの転送が前記コンピュータネットワークを介して要求された際に、前記転送要求元端末から指定された電話番号が前記記憶手段に記憶されているか否かを確認し、前記転送要求元端末から指定された電話番号が前記記憶手段に記憶されている場合にのみ前記転送処理手段にファクシミリデータの転送を実行させる、例えばＣＰＵのソフトウェア処理により実現される転送制御手段とを備えた。
【００１６】
このような手段を講じたことにより、コンピュータネットワークを介して要求された回線交換ネットワークを介してのファクシミリデータの転送は、その転送先の電話番号が予めユーザにより登録されて記憶手段に記憶されている場合にのみ実行され、電話番号が登録されていない相手への転送要求は拒否される。従って、回線交換ネットワークを介してのファクシミリデータの転送の実行は、その転送先に応じて制限される。
【００１８】
さらに、短縮ダイヤルやワンタッチダイヤルなどの簡易ダイヤルのための登録電話番号が、回線交換ネットワークを介してのファクシミリデータの転送を許容する転送先の登録電話番号として流用される。
【００１９】
また第２の発明は、前記第１の発明に加えて、転送要求元端末に向けて転送要求を拒否する旨の通知を行う、例えばＣＰＵのソフトウェア処理により実現される転送拒否メール送信手段などの通知手段を備え、かつ前記転送制御手段を、前記転送要求元端末から指定された電話番号が前記記憶手段に記憶されていない場合に前記通知手段に通知を行わせるものとした。
【００２０】
このような手段を講じたことにより、転送要求を拒否した場合には、その旨が転送要求元端末へと通知される。
【００２１】
また第３の発明は、前記第１の発明に加えて、拒否すべき転送要求が到来したことを例えば転送拒否報知画像を印刷することで本ファクシミリ装置のユーザに対して報知する、例えばＣＰＵのソフトウェア処理により実現される転送拒否報知画像印刷手段などの報知手段を備え、かつ前記転送制御手段を、前記転送要求元端末から指定された電話番号が前記記憶手段に記憶されていない場合に前記報知手段に報知を行わせるものとした。
【００２２】
このような手段を講じたことにより、転送要求を拒否した場合には、その旨が本ファクシミリ装置のユーザに対して報知される。
【００２３】
【発明の実施の形態】
以下、図面を参照して本発明の一実施形態につき説明する。
【００２４】
図１は本実施形態に係るファクシミリ装置の要部構成を示すブロック図である。
【００２５】
この図において、符号１を付して示される部分が本実施形態のファクシミリ装置である。そしてこのファクシミリ装置１は、ＣＰＵ１１、ＲＯＭ１２、ＲＡＭ１３、情報記憶部１４、画像記憶部１５、符号化・復号化部１６、スキャナ１７、プリンタ１８、モデム１９、ＮＣＵ２０、電話機制御部２１、回線信号検出部２２、ＬＡＮインタフェース２３、操作・表示部２４および時計部２５を有してなる。
【００２６】
そして、ＣＰＵ１１、ＲＯＭ１２、ＲＡＭ１３、情報記憶部１４、画像記憶部１５、符号化・復号化部１６、スキャナ１７、プリンタ１８、モデム１９、ＮＣＵ２０、回線信号検出部２２、ＬＡＮインタフェース２３、操作・表示部２４および時計部２５は、システムバス２６を介して互いに接続されている。またＮＣＵ２０にはモデム１９および電話機制御部２１が、さらに電話機制御部２１には回線信号検出部２２がそれぞれ接続されている。
【００２７】
ＣＰＵ１１は、ＲＯＭ１２に格納された制御プログラムに基づいて各部を総括制御するための制御処理を行うことでファクシミリ装置としての動作を実現する。
【００２８】
ＲＯＭ１２は、ＣＰＵ１１の制御プログラム等を記憶する。
【００２９】
ＲＡＭ１３は、ＣＰＵ１１が各種の処理を行うために必要となる各種の情報を記憶するために使用される。
【００３０】
情報記憶部１４は、例えばフラッシュメモリなどを用いてなり、各種の設定情報やその他の情報を記憶しておく。この情報記憶部１４の記憶領域の一部は、短縮番号やワンタッチボタンに対応付けて登録された簡易ダイヤル用の電話番号を記憶しておくための簡易ダイヤル登録領域に設定されている。
【００３１】
画像記憶部１５は、例えば大容量のＤＲＡＭや、ハードディスク装置などを用いてなり、受信した画像データや送信待ちの画像データを一時的に記憶しておく。
【００３２】
符号化・復号化部１６は、画像データに対して冗長度圧縮のための符号化処理を施すとともに、冗長度圧縮のための符号化がなされている画像データの復号を行うものである。
【００３３】
スキャナ１７は、送信原稿の読取りを行って、その送信原稿を示す画像データを生成する。
【００３４】
プリンタ１８は、画像データが示す画像を記録用紙に対して印字する。
【００３５】
モデム１９は、画像データを変調してファクシミリ伝送信号を生成したり、ＣＰＵ１１から与えられるコマンドを変調してコマンド伝送信号を生成するものであり、これらの伝送信号をＮＣＵ２０を介してＰＳＴＮ加入者線２へと送出する。またモデム１９は、ＰＳＴＮ加入者線２を介して到来し、ＮＣＵ２０を介して与えられたファクシミリ伝送データを復調して画像データを再生したり、コマンド伝送信号を復調してコマンドを再生する。
【００３６】
ＮＣＵ２０には、ＰＳＴＮ３に収容されたＰＳＴＮ加入者線２が接続されている。そしてＮＣＵ２０は、この接続されたＰＳＴＮ加入者線２に関して、状態監視や網への発信処理などを行なう。またＮＣＵ２０は、ＰＳＴＮ加入者線２に対して送出するファクシミリ伝送信号の等化を図るとともに、レベルを設定する。
【００３７】
電話機制御部２１には、必要に応じて外部電話機４が接続される。そして電話機制御部２１は、接続された外部電話機４を使用してＰＳＴＮ加入者線２を介しての通話を行うことを可能とするための周知の制御処理を行う。
【００３８】
回線信号検出部２２は、ＰＳＴＮ加入者線２を介して到来する信号をＮＣＵ２０および電話機制御部２１を介して受け、所定の信号の到来を検出する。
【００３９】
ＬＡＮインタフェース２３には、ＬＡＮ回線５およびメールサーバ６を介してインターネット７が接続されている。そしてＬＡＮインタフェース２３は、このインターネット７を介してのデータ伝送を行う。
【００４０】
操作・表示部２４は、ユーザによるＣＰＵ１１に対する各種の指示入力を受け付けるためのキー入力部や、ユーザに対して報知すべき各種の情報をＣＰＵ１１の制御の下に表示するための表示部などを有する。
【００４１】
時計部２５は、計時動作を常時行い、現在時刻を示す現在時刻情報を出力する。
【００４２】
さて、ＣＰＵ１１がＲＯＭ１２に格納された制御プログラムに基づいて動作することで実現される制御手段としては、ファクシミリ装置における周知の一般的なものに加えて、転送処理手段、転送拒否メール送信手段、転送拒否報知画像印刷手段および転送制御手段を有している。
【００４３】
ここで転送処理手段は、インターネット７を介して任意の転送要求元からの要求に基づいてオフランプゲートウェイによるファクシミリデータの転送処理を行う。
【００４４】
転送拒否メール送信手段は、転送要求元に向けて、転送要求を拒否する旨を示す所定の転送拒否メールを送信するための処理を行う。
【００４５】
転送拒否報知画像印刷手段は、拒否すべき転送要求が到来したことをファクシミリ装置１のユーザに対して報知するための所定の転送拒否報知画像をプリンタ１８により印刷させる。
【００４６】
そして転送制御手段は、オフランプゲートウェイの実施が指示された場合に、前記転送要求元から指定された転送先の電話番号が情報記憶部１４の簡易ダイヤル登録領域に記憶されているか否かを確認し、記憶されている場合にのみ前記転送処理手段にオフランプゲートウェイ処理を実行させる。また転送制御手段は、指定された転送先の電話番号が情報記憶部１４の簡易ダイヤル登録領域に記憶されていないために前記転送処理手段にオフランプゲートウェイ処理を実行させない場合には、転送拒否メールの送信および転送拒否報知画像の印刷を前記送信拒否メール送信手段および前記転送拒否報知画像印刷手段にそれぞれ行わせる。
【００４７】
次に以上のように構成されたファクシミリ装置の動作につき説明する。
【００４８】
まずファクシミリ装置１は、ＰＳＴＮ３やインターネット７を介して他のファクシミリ端末と１対１でファクシミリ通信を行うことは当然可能であるが、その場合の動作は従来よりあるファクシミリ装置と同様であるので、ここでは説明を省略する。また、ファクシミリ装置１は、ＰＳＴＮ３を介して到来したＦＡＸデータをＦＡＸメールに変換した上で、インターネット７を介して他端末に転送するオンランプゲートウェイの機能も有するが、その場合の動作も従来よりあるファクシミリ装置と同様であるので、ここでは説明を省略する。
【００４９】
そしてファクシミリ装置１の特徴的な動作は、オフランプゲートウェイに関する動作であるので、以下、このオフランプゲートウェイに関する動作につき説明する。
【００５０】
さてＣＰＵ１１は、ファクシミリ受信を行える状態にあるときに自装置宛のＦＡＸメールがＬＡＮ回線５を介して到来すると、図２に示すようなＦＡＸメール到来時処理を実行する。
【００５１】
このＦＡＸメール到来時処理においてＣＰＵ１１はまず、到来したＦＡＸメールの受信を周知の手順により行う（ステップＳＴ１）。
【００５２】
続いてＣＰＵ１１は、ステップＳＴ１で受信したＦＡＸメールについて、オフランプゲートウェイの実施が指定されているか否かの判断を行う（ステップＳＴ２）。
【００５３】
ここで、オフランプゲートウェイの実施が指定されていない場合には、受信したＦＡＸメールは自装置を最終宛先としたものであるから、ＣＰＵ１１は当該ＦＡＸメールが示す画像の印刷をプリンタ１８に行わせる（ステップＳＴ３）。そしてこの印刷処理が終了したならば、ＣＰＵ１１は今回のＦＡＸメール到来時処理を終了する。
【００５４】
これに対して、オフランプゲートウェイの実施が指定されてる場合にＣＰＵ１１は続いて、転送先電話番号を抽出する（ステップＳＴ４）。具体的には、オフランプゲートウェイを要求する場合のＦＡＸメールのアドレスは、“ＦＡＸ＝０５５９７６７６７６＠…”などのようにユーザ名部分に転送先電話番号を表したものとなっているので、このアドレスから転送先電話番号を抽出する。
【００５５】
続いてＣＰＵ１１は、上記のように抽出した転送先電話番号を情報記憶部１４中の簡易ダイヤル登録領域から検索する（ステップＳＴ５）。そしてＣＰＵ１１は、転送先電話番号の検索に成功したか否かの判断を行う（ステップＳＴ６）。
【００５６】
ここでもし、転送先電話番号の検索に成功したならばＣＰＵ１１は続いて、ステップＳＴ１で受信したＦＡＸメールをＧ３形式のＦＡＸデータに変換し（ステップＳＴ７）、この変換されたＦＡＸデータを、指定された送信先へとＰＳＴＮ３を介してＧ３手順により送信する（ステップＳＴ８）。そしてこのファクシミリ送信処理が終了したならば、ＣＰＵ１１は送信結果メールを作成し、転送要求元に送信する（ステップＳＴ９）。
【００５７】
なお送信結果メールは、ステップＳＴ８のファクシミリ送信処理が正常終了したのならば、例えば図３に示すような正常終了したことを示したものとし、またステップＳＴ８のファクシミリ送信処理が失敗したのならば、例えば図４に示すような失敗したことを示したものとする。
【００５８】
そしてこの送信結果メールの送信が終了したならば、ＣＰＵ１１は今回のＦＡＸメール到来時処理を終了する。
【００５９】
ところで、転送先電話番号の検索に失敗したならば、ＣＰＵ１１は例えば図５に示すように、転送先電話番号が未登録であるために転送要求を受けられない旨を示した転送拒否メールを作成し、転送要求元に送信する（ステップＳＴ１０）。
【００６０】
続いてＣＰＵ１１は、例えば図６に示すように、転送要求の拒否を行った旨を本ファクシミリ装置１のユーザに対して報知するための転送拒否報知画像を作成し、これをプリンタ１８に印刷させる（ステップＳＴ１１）。
【００６１】
そしてこのときにＣＰＵ１１は、オフランプゲートウェイ処理を実行すること無しに今回のＦＡＸメール到来時処理を終了する。
【００６２】
以上のように本実施形態によれば、指定された転送先電話番号が簡易ダイヤルのために登録されている電話番号である場合にのみオフランプゲートウェイを実行し、そうでなければ転送要求を拒否する。
【００６３】
従って、本ファクシミリ装置１のユーザが発呼先として認めて簡易ダイヤルのために登録した電話番号の相手先を転送先として指定した転送要求のみが受け付けられてオフランプゲートウェイが実行されるのであり、オフランプゲートウェイによる転送先が制限される。この結果、オフランプゲートウェイの乱用が防止され、無駄な通信費用負担が生じることが確実に防止される。
【００６４】
なお、転送先が簡易ダイヤルのために登録されているのであれば、転送要求元に拘わらずにオフランプゲートウェイが実行されるのであり、第３者がファクシミリ装置１のオフランプゲートウェイ機能を利用できるのであるが、そのような第３者が送信したい相手と本ファクシミリ装置１のユーザが発呼先として認めて簡易ダイヤルのために登録した相手とが一致する可能性は極めて低く、また簡易ダイヤルのためにどのような電話番号が登録されているのかを第３者が知ることは困難であることから、第３者が本ファクシミリ装置１のオフランプゲートウェイ機能を乱用することは極めて困難である。
【００６５】
また本実施形態によれば、オフランプゲートウェイによる転送先となることを許容する相手の電話番号を簡易ダイヤルのために登録した電話番号としているので、オフランプゲートウェイによる転送先となることを許容する相手の電話番号を専用に記憶するための記憶領域を別途確保する必要がなく、情報記憶部１４を有効利用することが可能であるとともに、個々の電話番号の登録を個別に行わなければならな場合に比べてユーザの負担が軽減される。
【００６６】
また本実施形態によれば、転送要求を拒否する場合にはその旨を転送要求元に通知することとしているので、転送要求者がその旨を確実に知ることができる。従って、転送要求者がファクシミリ装置１のオフランプゲートウェイを利用する権利を有したものであるならば、ファクシミリ装置１のユーザ（管理者）に対して転送先の電話番号の登録を要求するなどの適切な処置を速やかに行うことが可能である。
【００６７】
また本実施形態によれば、転送要求を拒否した旨を本ファクシミリ装置１のユーザに対して報知することとしているので、電話番号の登録漏れなどによりファクシミリ装置１のオフランプゲートウェイを利用する権利を有した正規の転送要求者からの要求が拒否されるようなことがあった場合にはそのことを速やかに知ることができ、電話番号の登録を行うなどの適切な処置を速やかに行うことが可能となる。さらには、不正な転送要求の内容を知ることも可能であり、例えば不正に転送要求者に対して警告を行うなどのセキュリティ上の処置を行うことが可能となる。
【００６８】
なお、本発明は上記実施形態に限定されるものではない。例えば上記実施形態では、オフランプゲートウェイによる転送先となることを許容する相手の電話番号を簡易ダイヤルのために登録した電話番号としているが、それらを個別に登録するようにしても良い。
【００６９】
また上記実施形態では、ＰＳＴＮ３を介しての通信手順としてＧ３方式を用いるものとしているが、Ｇ２方式や、独自方式などのその他の方式を用いる場合にも本願の適用が可能である。
【００７０】
また上記実施形態では、回線交換ネットワークとしてＰＳＴＮ３を用いるものとしているが、ＩＳＤＮなどの他のネットワークを用いる場合にも本願発明の適用が可能である。
【００７１】
また上記実施形態では、コンピュータネットワークとしてインターネットを用いるものとしているが、ＬＡＮやＷＡＮ（Wide Area Network）などの他のネットワークを用いる場合にも本願発明の適用が可能である。
【００７２】
このほか、本発明の要旨を逸脱しない範囲で種々の変形実施が可能である。
【００７３】
【発明の効果】
第１の発明によれば、所定の回線交換ネットワークおよび所定のコンピュータネットワークのそれぞれを介してのファクシミリ通信を行うことが可能なファクシミリ装置において、前記コンピュータネットワークを介して任意の転送要求元端末から送信されたファクシミリデータを前記転送要求元端末から指定された電話番号を持つ転送先端末へと前記回線交換ネットワークを介して転送する転送処理手段と、ユーザにより選択指定された電話番号へと自動発呼を行うためにユーザにより発呼先として予め登録された電話番号を記憶する記憶手段と、前記回線交換ネットワークを介してのファクシミリデータの転送が前記コンピュータネットワークを介して要求された際に、前記転送要求元端末から指定された電話番号が前記記憶手段に記憶されているか否かを確認し、前記転送要求元端末から指定された電話番号が前記記憶手段に記憶されている場合にのみ前記転送処理手段にファクシミリデータの転送を実行させる転送制御手段とを備えたので、回線交換ネットワークを介してのファクシミリデータの転送の実行は、その転送先に応じて制限されることとなり、簡易でありながら、第３者によるゲートウェイ機能の乱用を的確に防止して無駄な通信費用負担が生じることを防ぐことができるファクシミリ装置となる。
【００７４】
第１の発明によればさらに、短縮ダイヤルやワンタッチダイヤルなどの簡易ダイヤルのための登録電話番号を、回線交換ネットワークを介してのファクシミリデータの転送を許容する転送先の登録電話番号として流用されることとなり、メモリの有効利用と電話番号登録の手間の削減が図られる。
【００７５】
また第２の発明によれば、前記第１の発明に加えて、転送要求元端末に向けて転送要求を拒否する旨の通知を行う通知手段を備え、かつ前記転送制御手段を、前記転送要求元端末から指定された電話番号が前記記憶手段に記憶されていない場合に前記通知手段に通知を行わせるものとしたので、転送要求を拒否した場合には、その旨が転送要求元端末へと通知されることとなり、転送要求が拒否された旨を転送要求元に確実に認識させることが可能となる。
【００７６】
また第３の発明によれば、前記第１の発明に加えて、拒否すべき転送要求が到来したことを本ファクシミリ装置のユーザに対して報知する報知手段を備え、かつ前記転送制御手段を、前記転送要求元端末から指定された電話番号が前記記憶手段に記憶されていない場合に前記報知手段に報知を行わせるものとしたので、転送要求を拒否した場合には、その旨が本ファクシミリ装置のユーザに対して報知されることとなり、転送要求の拒否が行われたことを本ファクシミリ装置のユーザに対して確実に認識させることが可能となる。
【図面の簡単な説明】
【図１】本発明の一実施形態に係るファクシミリ装置の要部構成を示すブロック図。
【図２】図１中のＣＰＵ１１によるＦＡＸメール到来時処理の際の処理手順を示すフローチャート。
【図３】ファクシミリ送信が正常終了した場合の送信結果メールの内容の一例を示す図。
【図４】ファクシミリ送信に失敗した場合の送信結果メールの内容の一例を示す図。
【図５】転送拒否メールの内容の一例を示す図。
【図６】転送拒否報知画像の一例を示す図。
【符号の説明】
１…ファクシミリ装置
２…ＰＳＴＮ加入者線
３…ＰＳＴＮ
４…外部電話機
５…ＬＡＮ回線
６…メールサーバ
７…インターネット
１１…ＣＰＵ
１２…ＲＯＭ
１３…ＲＡＭ
１５…画像記憶部
１６…符号化・復号化部
１７…スキャナ
１８…プリンタ
１９…モデム
２０…ＮＣＵ
２１…電話機制御部
２２…回線信号検出部
２３…ＬＡＮインタフェース
２４…操作・表示部
２５…時計部
２６…システムバス
【図１】
0004112755.tif 000002
【図２】
0004112755.tif 000003
【図３】
0004112755.tif 000004
【図４】
0004112755.tif 000005
【図５】
0004112755.tif 000006
【図６】
0004112755.tif 000007